(57)【要約】【課題】操作ノブの変位に応じて光の照射態様を変化させることができ、表現の態様を増加させることができるスイッチ装置を提供する。【解決手段】外表面を形成するベゼル１０と、ベゼル１０に対して変位するように支持された操作ノブ２０と、操作ノブ２０に向けて光Ｌ０を発する発光部３０と、を備え、操作ノブ２０において前記発光部と対向する背面に形成され、光Ｌ０を反射する第１反射部２３と、操作ノブ２０と対向するベゼル１０の面に形成され、光Ｌ１を反射する第２反射部１３とをさらに備えてスイッチ装置１を構成とする。【選択図】図１
2019040662.tif 000002
【特許請求の範囲】
【請求項１】
外表面を形成するベゼルと、
前記ベゼルに対して変位するように支持された操作ノブと、
前記操作ノブに向けて光を発する発光部と、を備え、
前記操作ノブにおいて前記発光部と対向する背面に形成され、前記光を反射する第１反射部と、
前記操作ノブと対向するベゼルの面に形成され、前記光を反射する第２反射部とをさらに備える、スイッチ装置。
【請求項２】
前記第１反射部と前記第２反射部とは、非平行である、請求項１に記載のスイッチ装置。
【請求項３】
前記第１反射部と前記第２反射部との少なくとも一方は、前記発光部に向けて突出する凸条の凸条部または前記発光部との対向する部位において窪んだ凹条の凹条部を備える、請求項１又は２に記載のスイッチ装置。
【請求項４】
前記操作ノブは、前記ベゼルに対して回動するように軸支されている、請求項１から３のいずれか１項に記載のスイッチ装置。
【請求項５】
前記第１反射部及び前記第２反射部の少なくとも一方は、メッキされている、請求項１から４のいずれか１項に記載のスイッチ装置。
【請求項６】
前記第１反射部は、着色されている、請求項１から５のいずれか１項に記載のスイッチ装置。
【発明の詳細な説明】
【技術分野】
【０００１】
本発明は、スイッチ装置に関し、特に照明機能を備えたスイッチ装置に関する。
【背景技術】
【０００２】
従来のスイッチ装置として、軸を中心とする略円筒状の周壁を有して、この周壁に周方向に被照明部が配置されているとともに、その軸周りに回転する操作ノブと、操作ノブの軸線上に配置されて前方に向かって光を照射する照明用光源と、反射部材とを設け、反射部材の表面のうち操作ノブの内側に配置された部分により反射面を構成し、この反射面を、操作ノブの軸線を中心とする周方向に延びるとともに、前方に向かって照射された照明用光源の光が当該反射面において被照明部に向かって反射するように前方に向かうに従って拡径する形状とされたものがある（特許文献１参照）。
【０００３】
上記示した従来のスイッチ装置は、ダイヤルスイッチであって、ベゼルに対して回動自在に軸支された操作ノブと、操作ノブに向けて光を発する発光部とを備え、操作ノブの背面に、光を反射する反射部が形成されている。これにより、簡単な構成で操作ノブの周壁を周方向に沿って照明することができるとされている。
【先行技術文献】
【特許文献】
【０００４】
【特許文献１】特開２０１１−１８１３２７号公報
【発明の概要】
【発明が解決しようとする課題】
【０００５】
しかし、特許文献１のスイッチ装置は、操作ノブの背面にのみ反射部が形成されているため、光の反射による表現の態様が少ないという課題が生じる。
【０００６】
従って、本発明の目的は、表現の態様を増加させることができるスイッチ装置を提供することにある。
【課題を解決するための手段】
【０００７】
［１］本発明は、上記目的を達成するために、外表面を形成するベゼルと、前記ベゼルに対して変位するように支持された操作ノブと、前記操作ノブに向けて光を発する発光部と、を備え、前記操作ノブにおいて前記発光部と対向する背面に形成され、前記光を反射する第１反射部と、前記操作ノブと対向するベゼルの面に形成され、前記光を反射する第２反射部とをさらに備える、スイッチ装置を提供する。
【０００８】
［２］前記第１反射部と前記第２反射部とは、非平行である、上記［１］に記載のスイッチ装置であってもよい。
【０００９】
［３］また、前記第１反射部と前記第２反射部との少なくとも一方は、前記発光部に向けて突出する凸条の凸条部または前記発光部との対向する部位において窪んだ凹条の凹条部を備える、上記［１］又は［２］に記載のスイッチ装置であってもよい。
【００１０】
［４］また、前記操作ノブは、前記ベゼルに対して回動するように軸支されている、上記［１］から［３］のいずれか１に記載のスイッチ装置であってもよい。
【００１１】
［５］また、前記第１反射部及び前記第２反射部の少なくとも一方は、メッキされている、上記［１］から［４］のいずれか１に記載のスイッチ装置であってもよい。
【００１２】
［６］また、前記第１反射部は、着色されている、上記［１］から［５］のいずれか１に記載のスイッチ装置であってもよい。
【発明の効果】
【００１３】
本発明によれば、操作ノブの変位に応じて光の照射態様を変化させることができ、表現の態様を増加させることができる。
【図面の簡単な説明】
【００１４】
【図１】図１（ａ）は、本発明の第１の実施の形態に係るスイッチ装置の断面図であり、図１（ｂ）は、Ａ方向から操作ノブを見た上平面図である。
【図２】図２（ａ）は、本発明の第１の実施の形態に係るスイッチ装置の操作ノブが押圧操作されていない状態における断面図であり、図２（ｂ）は、押圧操作されていない状態における操作ノブ、ベゼルを見た上平面図であり、図２（ｃ）は、本発明の第１の実施の形態に係るスイッチ装置の操作ノブが押圧操作された状態における断面図であり、図２（ｄ）は、押圧操作された状態における操作ノブ、ベゼルを見た上平面図である。
【図３】図３（ａ）は、本発明の第２の実施の形態に係るスイッチ装置の操作ノブの凸条部が見える角度から見た操作ノブの斜視図であり、図３（ｂ）は、Ａ方向（上）から操作ノブを見た下平面図である。
【図４】図４（ａ）は、本発明の第３の実施の形態に係るスイッチ装置の操作ノブの凸条部（一か所のみ形成）が見える角度から見た操作ノブの斜視図であり、図４（ｂ）は、Ａ方向から操作ノブを見た下平面図である。
【図５】図５（ａ）は、本発明の第４の実施の形態に係るスイッチ装置の断面図であり、図５（ｂ）は、Ａ方向から操作ノブを見た上平面図である。
【図６】図６（ａ）は、本発明の第４の実施の形態に係るスイッチ装置の操作ノブが押圧操作されていない状態における断面図であり、図６（ｂ）は、押圧操作されていない状態における操作ノブ、ベゼルを見た上平面図であり、図６（ｃ）は、本発明の第４の実施の形態に係るスイッチ装置の操作ノブが押圧操作された状態における断面図であり、図６（ｄ）は、押圧操作された状態における操作ノブ、ベゼルを見た上平面図である。
【図７】図７（ａ）は、本発明の第５の実施の形態に係るスイッチ装置の操作ノブの凸条部が見える角度から見た操作ノブの斜視図であり、図７（ｂ）は、Ａ方向から操作ノブを見た下平面図である。
【図８】図８（ａ）は、本発明の第６の実施の形態に係るスイッチ装置の操作ノブの凸条部（一か所のみ形成）が見える角度から見た操作ノブの斜視図であり、図８（ｂ）は、Ａ方向から操作ノブを見た下平面図である。
【発明を実施するための形態】
【００１５】
（本発明の第１の実施の形態）
本発明の第１の実施の形態に係るスイッチ装置１は、外表面を形成するベゼル１０と、ベゼル１０に対して変位するように支持された操作ノブ２０と、操作ノブ２０に向けて光Ｌ０を発する発光部３０と、を備え、操作ノブ２０において前記発光部と対向する背面に形成され、光Ｌ０を反射する第１反射部２３と、操作ノブ２０と対向するベゼル１０の面に形成され、光Ｌ１を反射する第２反射部１３とをさらに備えて構成されている。
【００１６】
第１の実施の形態は、図１（ａ）に示すように、ベゼル１０に形成される第２反射部１３が、ベゼル１０の上面１１から上に突出した凸部１２の表面に形成されている。また、この凸部１２の形状に対応して、光Ｌ０を反射する第１反射部２３が操作ノブ２０の背面に形成されている。なお、第１反射部２３と第２反射部１３は、略平行に形成されていてもよいが、非平行に形成されることにより、後述するように、操作ノブ２０を押圧操作したときの光Ｌ１の変化が強調されてより効果的な照明表示が可能となる。
【００１７】
（ベゼル１０）
外表面を形成するベゼル１０は、図１（ａ）に示すように、例えば、操作ノブ２０を回転、押圧可能に支持し、基板４０等を固定する筐体として機能する。ベゼル１０には、光Ｌ０を導光する導光部３５、及び、操作ノブ２０の一部が収容可能な穴部１４が形成されている。また、下部には、基板等を取付けるための取付部１８が形成されている。なお、ベゼル１０は、例えば、インストルメントパネルや、センターコンソールを構成するパネルであってもよい。
【００１８】
第２反射部１３は、表面にメッキが施されている。これにより、操作ノブ２０の第１反射部２３で反射した光Ｌ０を、光Ｌ１として効率的に反射してベゼル１０の上面１１を照明表示することができる。なお、第２反射部１３の表面は、メッキではなく、塗装、材着であってもよい。
【００１９】
図１（ａ）に示すように、ベゼル１０の取付部１８には、基板４０が装着されている。基板４０の上側、すなわち、操作ノブ２０側の面には、発光部３０、スイッチ４５、回転検出素子４７が実装されている。
【００２０】
スイッチ４５は、押圧によりオンオフを検知する、例えば、タクトスイッチである。なお、本実施の形態では、タクトスイッチが操作ノブ２０の押圧に対する上下方向の支持を行なっているものとする。
【００２１】
また、回転検出素子４７は、操作ノブ２０の回転を検出するもので、例えば、操作ノブ２０に装着されたエンコーダ板４８を光の照射と反射検出により回転角を検出するフォトインタラプタで構成される回転エンコーダである。
【００２２】
（操作ノブ２０）
操作ノブ２０は、図１（ａ）に示すように、ノブ２１とノブ本体２２から構成されている。ノブ２１は、上面を押圧し、把持して回転操作する円柱状に形成され、ノブ２１の下部側にノブ本体２２が円柱状に形成されている。このノブ本体２２は、ベゼル１０の穴部１４、及び、導光部３５の中に収容されて、ベゼルに対して回動するように軸支されている。また、ノブ本体２２は、軸方向に移動可能とされている。したがって、操作ノブ２０は、回転スイッチ、押圧スイッチとして機能する。
【００２３】
ノブ２１には、導光部３５に対応して段差が設けられている。図１（ａ）に示すように、操作ノブ２０の背面（下部）には、導光部３５から出射する光Ｌ０を反射する第１反射部２３が形成されている。
【００２４】
第１反射部２３は、表面にメッキが施されている。これにより、操作ノブ２０の第１反射部２３で反射した光Ｌ０を、光Ｌ１として効率的に反射してベゼル１０の上面１１を照明表示することができる。また、第１反射部２３は、表面に着色が施されている。着色は、任意の色に設定可能である。これにより、操作ノブ２０の第１反射部２３で反射した光Ｌ０を、着色した光Ｌ１として反射して、ベゼル１０の上面１１を所定の色で照明表示することができる。なお、第１反射部２３の表面は、メッキではなく、塗装、材着であってもよい。
【００２５】
（発光部３０）
発光部３０は、例えば、ＬＥＤ素子である。発光部３０は、１または２以上のＬＥＤが、図１（ａ）に示すように、導光部３５に対応した位置に実装され、導光部３５に光Ｌ０を入射させる。なお、発光部３０は、種々の波長の光が使用できる。前述した第１反射部２３の表面に着色が施されている場合には、白色光を使用してもよい。
【００２６】
導光部３５は、発光部３０から入射する光Ｌ０を導光して、操作ノブ２０の第１反射部２３に照射するもので、本実施の形態では、例えば、透明アクリル（ＰＭＭＡ）の円環状の部材として形成されている。なお、導光部３５は、発光部３０からの光を導く構造であれば、別途部材を追加しなくとも、孔として構成されていてもよい。
【００２７】
発光部３０のＬＥＤを発光させると、図１（ａ）に示すように、光Ｌ０は、導光部３５を通って操作ノブ２０の第１反射部２３に照射される。光Ｌ０は第１反射部２３で反射される。第１反射部２３の表面にメッキが施されている場合は、高効率で反射される。また、表面に着色が施されている場合は、その着色された色の光が反射される。
【００２８】
第１反射部２３で反射された光は、ベゼル１０の第２反射部１３に照射される。この第２反射部１３に照射される光は、反射光Ｌ１となって、照明表示として機能する。
【００２９】
（操作ノブ２０の押圧操作による照明表示）
図２（ａ）に示す操作ノブ２０が押圧操作されていない状態において、ベゼル１０の上面１１から第１反射部２３の下端部２３ａまでの距離をｄ１とする。この押圧操作されていない状態では、図２（ｂ）に示すように、第２反射部１３において反射光Ｌ１が反射されて照明表示される。
【００３０】
図２（ｃ）に示すように、操作ノブ２０がＡ方向からＦの力で押圧操作（押圧スイッチ操作）されると、操作ノブ２０が下方向に移動する。操作ノブ２０が押圧操作（押圧スイッチ操作）されると、スイッチ４５がオン又はオフを検知してスイッチ動作を実行することができる。
【００３１】
操作ノブ２０が押圧操作（押圧スイッチ操作）された状態では、ベゼル１０の上面１１から第１反射部２３の下端部２３ａまでの距離はｄ２となる。距離ｄ１＞距離ｄ２であり、第１反射部２３と第２反射部１３の対向距離は小さくなる。
【００３２】
第１反射部２３と第２反射部１３の対向距離が小さくなると、図２（ｄ）に示すように、第２反射部１３における反射光は反射光Ｌ１´となって照明表示される。この反射光Ｌ１´は、図２（ｄ）に示すように、反射光Ｌ１よりも操作ノブ２０に接近した光である。このように、反射光が内側に変化することにより、操作ノブ２０を押圧操作したことが操作者に照明呈示される。
【００３３】
第１反射部２３と第２反射部１３が非平行に形成されている場合は、操作ノブ２０を押圧操作したときの反射光の変化が強調されてより効果的な照明表示が可能となる。
【００３４】
（本発明の第２の実施の形態）
第２の実施の形態は、図３（ａ）に示すように、第１反射部２３に発光部３０に向けて突出する凸条の凸条部１００または発光部３０との対向する部位において窪んだ凹条の凹条部を備える構成とされている。凸条部または凹条部は、凸条または凹条のセレーションが第１反射部２３上に全周またはその一部に形成されている。なお、第１反射部２３に設ける模様は、凸条部または凹条部に限らない。例えば、花柄、網目模様、幾何学模様などの各種模様、渦巻き状に形成された条部等であってもよい。
【００３５】
図３（ｂ）に示すように、第２反射部１３における反射光は、凸条または凹条のセレーション模様が付加された照明表示となる。このセレーション模様は、例えば、操作ノブ２０を図に示すＲ方向へ回転させると、回転操作に応じてセレーション模様が回転して照明表示される。これにより、回転検出素子４７により例えば回転角の検出をすると共に、その回転に応じて、操作ノブ２０の回転操作を表示して示すことができる。また、操作ノブ２０の回転操作の方向を表示して示すことができる。
【００３６】
（本発明の第３の実施の形態）
第３の実施の形態は、図４（ａ）に示すように、第１反射部２３上に凸条部１０１が一か所形成された構成とされている。
【００３７】
図４（ｂ）に示すように、第２反射部１３における反射光は、凸条の模様が付加された照明表示となる。この凸条の模様は、例えば、操作ノブ２０を図に示すＲ方向へ回転させると、回転操作に応じて凸条の模様が回転して照明表示される。これにより、操作ノブ２０の回転操作を表示して示すことができる。また、操作ノブ２０の回転操作の方向を表示して示すことができる。また、特に、回転検出素子４７により検出される回転操作角度に対応した操作ノブ２０の回転操作量を確認することが容易になる。
【００３８】
（本発明の第４の実施の形態）
第４の実施の形態は、図５（ａ）に示すように、ベゼル１０に形成される第２反射部１６が、ベゼル１０の上面１１から下に形成された凹部１５の表面に形成されている。また、この凹部１５の形状に対応して、光Ｌ０を反射する第１反射部５３が操作ノブ５０に形成されている。なお、第１反射部５３と第２反射部１６は、略平行に形成されていてもよいが、非平行に形成されることにより、後述するように、操作ノブ５０を押圧操作したときの光Ｌ１の変化が強調されてより効果的な照明表示が可能となる。
【００３９】
（ベゼル１０）
外表面を形成するベゼル１０は、図５（ａ）に示すように、例えば、操作ノブ５０を回転、押圧可能に支持し、基板４０等を固定する筐体として機能する。ベゼル１０には、光Ｌ０を導光する導光部３５、及び、操作ノブ５０の一部が収容可能な穴部１４が形成されている。また、下部には、基板等を取付けるための取付部１８が形成されている。なお、ベゼル１０は、例えば、インストルメントパネルや、センターコンソールを構成するパネルであってもよい。
【００４０】
第２反射部１６は、表面にメッキが施されている。これにより、操作ノブ５０の第１反射部５３で反射した光Ｌ０を、光Ｌ２として効率的に反射してベゼル１０の上面１１を照明表示することができる。なお、第２反射部１６の表面は、メッキではなく、塗装、材着であってもよい。
【００４１】
図５（ａ）に示すように、ベゼル１０の取付部１８には、基板４０が装着されている。基板４０の上側、すなわち、操作ノブ５０側の面には、発光部３０、スイッチ４５、回転検出素子４７が実装されている。
【００４２】
スイッチ４５は、押圧によりオンオフを検知する、例えば、タクトスイッチである。なお、本実施の形態では、タクトスイッチが操作ノブ５０の押圧に対する上下方向の支持を行なっているものとする。
【００４３】
また、回転検出素子４７は、操作ノブ５０の回転を検出するもので、例えば、操作ノブ５０に装着されたエンコーダ板４８を光の照射と反射検出により回転角を検出するフォトインタラプタで構成される回転エンコーダである。
【００４４】
（操作ノブ５０）
操作ノブ５０は、図５（ａ）に示すように、ノブ５１とノブ本体５２から構成されている。ノブ５１は、上面を押圧し、把持して回転操作する円柱状に形成され、ノブ５１の下部側にノブ本体５２が円柱状に形成されている。このノブ本体５２は、ベゼル１０の穴部１４、及び、導光部３５の中に収容されて、ベゼルに対して回動するように軸支されている。また、ノブ本体５２は、軸方向に移動可能とされている。したがって、操作ノブ５０は、回転スイッチ、押圧スイッチとして機能する。
【００４５】
ノブ５１には、導光部３５に対応して段差が設けられている。図５（ａ）に示すように、操作ノブ５０の背面（下部）に形成され、導光部３５から出射する光Ｌ０を反射する第１反射部５３が形成されている。
【００４６】
第１反射部５３は、表面にメッキが施されている。これにより、操作ノブ５０の第１反射部５３で反射した光Ｌ０を、光Ｌ２として効率的に反射してベゼル１０の上面１１を照明表示することができる。また、第１反射部５３は、表面に着色が施されている。着色は、任意の色に設定可能である。これにより、操作ノブ５０の第１反射部５３で反射した光Ｌ０を、着色した光Ｌ２として反射して、ベゼル１０の上面１１を所定の色で照明表示することができる。なお、第１反射部５３の表面は、メッキではなく、塗装、材着であってもよい。
【００４７】
（発光部３０）
発光部３０は、例えば、ＬＥＤ素子である。発光部３０は、１または２以上のＬＥＤが、図５（ａ）に示すように、導光部３５に対応した位置に実装され、導光部３５に光Ｌ０を入射させる。なお、発光部３０は、種々の波長の光が使用できる。前述した第１反射部５３の表面に着色が施されている場合には、白色光を使用してもよい。
【００４８】
導光部３５は、発光部３０から入射する光Ｌ０を導光して、操作ノブ５０の第１反射部５３に照射するもので、本実施の形態では、例えば、透明アクリル（ＰＭＭＡ）の円環状の部材として形成されている。なお、導光部３５は、発光部３０からの光を導く構造であれば、別途部材を追加しなくとも、孔として構成されていてもよい。
【００４９】
発光部３０のＬＥＤを発光させると、図５（ａ）に示すように、光Ｌ０は、導光部３５を通って操作ノブ５０の第１反射部５３に照射される。光Ｌ０は第１反射部５３で反射される。第１反射部５３の表面にメッキが施されている場合は、高効率で反射される。また、表面に着色が施されている場合は、その着色された色の光が反射される。
【００５０】
第１反射部５３で反射された光は、ベゼル１０の第２反射部１６に照射される。この第２反射部１６に照射される光は、反射光Ｌ２となって、照明表示として機能する。
【００５１】
（操作ノブ５０の押圧操作による照明表示）
図６（ａ）に示す操作ノブ５０が押圧操作されていない状態において、第２反射部１６の下端部１６ａから第１反射部５３の上端部５３ａまでの距離をｄ３とする。この押圧操作されていない状態では、図６（ｂ）に示すように、第２反射部１６において反射光Ｌ２が反射されて照明表示される。
【００５２】
図６（ｃ）に示すように、操作ノブ５０がＡ方向からＦの力で押圧操作（押圧スイッチ操作）されると、操作ノブ５０が下方向に移動する。操作ノブ５０が押圧操作（押圧スイッチ操作）されると、スイッチ４５がオン又はオフを検知してスイッチ動作を実行することができる。
【００５３】
操作ノブ５０が押圧操作（押圧スイッチ操作）された状態では、第２反射部１６の下端部１６ａから第１反射部５３の上端部５３ａまでの距離はｄ４となる。距離ｄ３＞距離ｄ４であり、第１反射部５３と第２反射部１６の対向距離は小さくなる。
【００５４】
第１反射部５３と第２反射部１６の対向距離が小さくなると、図６（ｄ）に示すように、第２反射部１６における反射光は反射光Ｌ２´となって照明表示される。この反射光Ｌ２´は、図６（ｄ）に示すように、反射光Ｌ２よりも操作ノブ５０に接近した光である。このように、反射光が内側に変化することにより、操作ノブ５０を押圧操作したことが操作者に照明呈示される。
【００５５】
第１反射部５３と第２反射部１６が非平行に形成されている場合は、操作ノブ５０を押圧操作したときの反射光の変化が強調されてより効果的な照明表示が可能となる。
【００５６】
（本発明の第５の実施の形態）
第５の実施の形態は、図７（ａ）に示すように、第１反射部５３に発光部３０に向けて突出する凸条の凸条部１０１または発光部３０との対向する部位において窪んだ凹条の凹条部を備える構成とされている。凸条部または凹条部は、凸条または凹条のセレーションが第１反射部５３上に全周またはその一部に形成されている。なお、第１反射部５３に設ける模様は、凸条部または凹条部に限らない。例えば、花柄、網目模様、幾何学模様などの各種模様、渦巻き状に形成された条部等であってもよい。
【００５７】
図７（ｂ）に示すように、第２反射部１６における反射光は、凸条または凹条のセレーション模様が付加された照明表示となる。このセレーション模様は、例えば、操作ノブ５０を図に示すＲ方向へ回転させると、回転操作に応じてセレーション模様が回転して照明表示される。これにより、回転検出素子４７により例えば回転角の検出をすると共に、その回転に応じて、操作ノブ５０の回転操作を表示して示すことができる。また、操作ノブ５０の回転操作の方向を表示して示すことができる。
【００５８】
（本発明の第６の実施の形態）
第６の実施の形態は、図８（ａ）に示すように、第１反射部５３上に凸条部１０１が一か所形成された構成とされている。
【００５９】
図８（ｂ）に示すように、第２反射部１６における反射光は、凸条の模様が付加された照明表示となる。この凸条の模様は、例えば、操作ノブ５０を図に示すＲ方向へ回転させると、回転操作に応じて凸条の模様が回転して照明表示される。これにより、操作ノブ５０の回転操作を表示して示すことができる。また、操作ノブ５０の回転操作の方向を表示して示すことができる。また、特に、回転検出素子４７により検出される回転操作角度に対応した操作ノブ５０の回転操作量を確認することが容易になる。
【００６０】
（実施の形態の効果）
本発明の実施の形態に係るスイッチ装置によれば、次のような効果を有する。
（１）本実施の形態に係るスイッチ装置１は、外表面を形成するベゼル１０と、ベゼル１０に対して変位するように支持された操作ノブ２０と、操作ノブ２０に向けて光Ｌ０を発する発光部３０と、を備え、操作ノブ２０において前記発光部と対向する背面に形成され、光Ｌ０を反射する第１反射部２３と、操作ノブ２０と対向するベゼル１０の面に形成され、光Ｌ１を反射する第２反射部１３とをさらに備えて構成されている。これにより、操作ノブに光を反射させてベゼルの表面を照明表示できる。操作ノブの操作に応じて光が増減したり、操作方向を示したりできる。したがって、操作ノブの変位に応じて光の照射態様を変化させることができ、表現の態様を増加させることができる。
（２）第１反射部または第２反射部には、表面にメッキを施すことができる。これにより、操作ノブの第１反射部で反射した光Ｌ０を、効率的に反射してベゼル１０の上面１１を照明表示することができる。
（３）第１反射部には、表面に着色を施すことができる。着色は、任意の色に設定可能である。これにより、操作ノブの第１反射部で反射した光Ｌ０を、着色した光として反射して、ベゼル１０の上面１１を所定の色で照明表示することができる。
（４）操作ノブの押圧操作により、第１反射部で反射した反射光が内側に変化することにより、操作ノブ２０を押圧操作したことが操作者に照明呈示できる。第１反射部と第２反射部を非平行に形成することにより、操作ノブを押圧操作したときの光の変化が強調されてより効果的な照明表示が可能となる。
（５）第２の実施の形態、第５の実施の形態では、第１反射部に凸条部または凹条部のセレーションを形成するので、操作ノブの回転に応じて、操作ノブの回転操作を表示して示すことができる。また、操作ノブの回転操作の方向を表示して示すことができる。
（６）第３の実施の形態、第６の実施の形態では、第１反射部の一か所に凸条部または凹条部を形成するので、操作ノブの回転操作を表示して示すことができる。また、操作ノブの回転操作の方向を表示して示すことができ、特に、操作ノブの回転操作の操作量を確認することが容易になる。
【００６１】
以上、本発明の実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。
【００６２】
また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００６３】
１…スイッチ装置、１０…ベゼル、１１…上面、１２…凸部、１３…反射部、１４…穴部、１５…凹部、１６…反射部、１６ａ…下端部、１８…取付部、２０…操作ノブ、２１…ノブ、２２…ノブ本体、２３…反射部、２３ａ…下端部、３０…発光部、３５…導光部、４０…基板、４５…スイッチ、４７…回転検出素子、４８…エンコーダ板、５０…操作ノブ、５１…ノブ、５２…ノブ本体、５３…反射部、５３ａ…上端部、１００、１０１…凸条部
【図１】
2019040662.tif 000003
【図２】
2019040662.tif 000004
【図３】
2019040662.tif 000005
【図４】
2019040662.tif 000006
【図５】
2019040662.tif 000007
【図６】
2019040662.tif 000008
【図７】
2019040662.tif 000009
【図８】
2019040662.tif 000010